(57)【要約】【課題】塩素残留のフィルタを用いた局部洗浄装置であって、フィルタを設置した際にのみ水が通過し、フィルタ交換の際などフィルタを取り外した際に水の通過が停止されることによって局部洗浄装置用フィルタの交換が容易な局部洗浄装置および局部洗浄装置付便器並びに局部洗浄装置用切換弁を提供する。【解決手段】洗浄部に備わる洗浄ノズルから洗浄水を人体局部に向けて噴出する局部洗浄装置において、前記洗浄部と給水管の間に塩素除去フィルタが挿入される塩素除去ハウジングと、塩素除去ハウジング装着時に開口する切換弁を設ける。【選択図】図１
2016020611.tif 000002
【特許請求の範囲】
【請求項１】
洗浄部に備わる洗浄ノズルから洗浄水を人体局部に向けて噴出する局部洗浄装置において、前記洗浄部と給水管の間に塩素除去フィルタが挿入される塩素除去ハウジングと、塩素除去ハウジング装着時に開口する切換弁を設ける局部洗浄装置。
【請求項２】
切換弁は、塩素除去ハウジング装着前には給水側入口の内部にバネで付勢されてピストンヘッドで塩素除去ハウジング側出口が塞がれることで給水が停止され、塩素除去ハウジング装着後は塩素除去ハウジングによってピストンヘッドに突設されるピストンロッドが押圧されて塩素除去ハウジング側出口を開放することで給水が塩素除去ハウジング内に供給されるように構成される請求項1に記載の局部洗浄装置。
【請求項３】
洗浄部に備わる洗浄ノズルから洗浄水を人体局部に向けて噴出する局部洗浄装置を設けた便器において、前記洗浄部と給水管の間に塩素除去フィルタが挿入される塩素除去ハウジングと、塩素除去ハウジング装着時に開口する切換弁を設ける局部洗浄装置を設けた便器。
【請求項４】
切換弁は、塩素除去ハウジング装着前には給水側入口の内部にバネで付勢されてピストンヘッドで塩素除去ハウジング側出口が塞がれることで給水が停止され、塩素除去ハウジング装着後は塩素除去ハウジングによってピストンヘッドに突設されるピストンロッドが押圧されて塩素除去ハウジング側出口を開放することで給水が塩素除去ハウジング内に供給されるように構成される請求項３に記載の局部洗浄装置を設けた便器。
【請求項５】
洗浄部に備わる洗浄ノズルから洗浄水を人体局部に向けて噴出する局部洗浄装置に用いられる、前記洗浄部と給水管の間に塩素除去フィルタが挿入される塩素除去ハウジングと、塩素除去ハウジング装着時に開口する切換弁を設ける局部洗浄装置用切換弁。
【請求項６】
切換弁は、塩素除去ハウジング装着前には給水側入口の内部にバネで付勢されてピストンヘッドで塩素除去ハウジング側出口が塞がれることで給水が停止され、塩素除去ハウジング装着後は塩素除去ハウジングによってピストンヘッドに突設されるピストンロッドが押圧されて塩素除去ハウジング側出口を開放することで給水が塩素除去ハウジング内に供給されるように構成される請求項５に記載の局部洗浄装置用切換弁。
【請求項７】
洗浄部に備わる洗浄ノズルから洗浄水を人体局部に向けて噴出する局部洗浄装置に用いられる、前記洗浄部と給水管の間に塩素除去フィルタが挿入される塩素除去ハウジングと、塩素除去ハウジング装着時に開口する切換弁を設ける局部洗浄装置用浄水器。
【請求項８】
切換弁は、塩素除去ハウジング装着前には給水側入口の内部にバネで付勢されてピストンヘッドで塩素除去ハウジング側出口が塞がれることで給水が停止され、塩素除去ハウジング装着後は塩素除去ハウジングによってピストンヘッドに突設されるピストンロッドが押圧されて塩素除去ハウジング側出口を開放することで給水が塩素除去ハウジング内に供給されるように構成される請求項５に記載の局部洗浄装置用浄水器。
【発明の詳細な説明】
【技術分野】
【０００１】
本発明は、残留塩素を除去する局部洗浄装置および局部洗浄装置付便器並びに局部洗浄装置用切換弁であって、特に局部洗浄装置用フィルタの交換が容易な局部洗浄装置および局部洗浄装置付便器並びに局部洗浄装置用切換弁に関する。
【背景技術】
【０００２】
水道法２２条ならびに水道法施行規則第１７条第1項第3号によれば、「給水栓における水が、遊離残留塩素を０．１ｍｇ／ｌ（結合残留塩素の場合は、０．４ｍｇ／ｌ）以上保持するように塩素消毒をすること。」と規定されており、この結果、日本の水道水には、遊離残留塩素が存在する。このために、殺菌された水道水が供給されることとなり、清潔度が維持されている。
【０００３】
一方、遊離残留塩素がたんぱく質に影響を与えることも知られている。すなわち、塩素は酸化力を有するため蛋白質を変性させてしまう。このため残留塩素濃度の高い水道水で髪や肌を洗浄すると髪や肌の蛋白質を変性させるために傷むこととなる。つまり、肌より弱い粘膜の露出している肛門部や外陰部に対しても、遊離残留塩素が肛門部や外陰部に接触すると、少なからぬ影響を与えている。
【０００４】
例えば特許文献１は、「ノズルの噴出口より洗浄水を人体局部に向けて噴出する局部洗浄装置を備えた便器であり、このノズルの噴出口までの洗浄水の供給通路上に洗浄水を浄化する浄水装置を設ける」ことで、ノズルから噴出された洗浄水が肛門内に入ったとしても、その洗浄水は浄水装置によって浄化されたものであるため、水道水中の濁りや汚れの成分が体内に入ったり、塩素分が腸内に入って有用な菌を殺してしまうといった不都合を生じないという効果があることが記載されている。
【０００５】
また、特許文献２は、「出水要求に基づいて所定量の水を吐出し、肛門部や外陰部、その他の皮膚表面を洗浄するための局部洗浄装置において、洗浄ノズルと、洗浄水を送水するための配水管と、当該洗浄水を通水しながら加熱するためのヒーターと、痔疾用薬剤、保湿剤、潤滑剤、脱臭剤、芳香剤から選ばれる一種または二種以上を組み合わせた薬剤と当該薬剤の飽和水溶液あるいは薬剤の均一分散溶液とが充填された硬質材容器と、硬質材容器に形成された開口と、当該開口を覆う多孔質膜とを有する薬剤徐放カートリッジとが備えられており、当該薬剤徐放カートリッジは前記開口を前記配水管の流路に連通させ、かつ前記開口を前記流路の上流側へ差し向けた状態で前記配水管に装着され、取り替え可能であり」、さらに、「前記薬剤に加えて、残留塩素除去剤、制菌剤のうち一種または二種の薬剤が組み合わせられて添加されている」ことにより、「安価で実用性に優れ、肌に有用な機能的な水さらには清浄な水で局部を洗浄することができる局部洗浄装置を提供することができた」ことが記載されている。
【先行技術文献】
【特許文献】
【０００６】
【特許文献１】実開平５−３０２７５号公報
【特許文献２】特開２００１−２６９６７号公報
【発明の概要】
【発明が解決しようとする課題】
【０００７】
ところで、特許文献１では、「ノズルの噴出口までの洗浄水の供給通路上に洗浄水を浄化する浄水装置を設ける」が、浄水装置の交換についての明確な手法や構造では明らかではなかった。浄水装置は、水をフィルタでろ過することにより浄水化する。このため、目詰まりを起こしたり、フィルタが汚れるために定期的に交換する必要がある。ところで、浄化装置は、常時その内部を水が通過している。このため、フィルタを交換する場合には、その際に、浄化装置を通過する水を停止させる必要があり、フィルタ交換後に浄化装置を通過する水を再開させることが必要であった。この際、給水栓を停止して、交換することとなるが、浄化装置の前後の配管内部の水抜きを行わないと浄化装置の前後の配管からの水漏れが発生するという課題が生じていた。また、浄化装置の交換の度に、給水栓の停止と、配管内部の水抜きと、浄化装置全体の交換を行うことは、洗浄装置のユーザにとって容易なことではない。
【０００８】
また、特許文献２では、「薬剤徐放カートリッジは配水管の外側に装着され、薬剤徐放カートリッジの開口近傍部は配水管内に差し込まれ、取り替え可能となっているが、このことにより、利用者は薬剤徐放カートリッジの交換が甚だ容易になるため、薬剤徐放カートリッジ内の薬剤が減少し、消失した際においても簡単に当該カートリッジを交 換できるため、簡便にかつとぎれることがなく薬剤が徐放された機能水を利用でき、甚だ幸便である。」と記載されるものの、薬剤徐放カートリッジの具体的な構成は開示されていない。また、「薬剤徐放カートリッジ７は外圧を加えても変形しない硬質材例えばアクリルまたはＡＢＳ（アクリルニトリルブタジエンスチレン）樹脂といった比較的安価な材料で形成されているが、図１の如く、局部洗浄装置本体部４からその一部が突出した形状で備えられており、利用者は自由に着脱自在となっている。」と記載されているが、具体的な構成については開示されていない。
【０００９】
そこで、本発明の目的は、塩素残留のフィルタを用いた局部洗浄装置であって、フィルタを設置した際にのみ水が通過し、フィルタ交換の際などフィルタを取り外した際に水の通過が停止されることによって局部洗浄装置用フィルタの交換が容易な局部洗浄装置および局部洗浄装置付便器並びに局部洗浄装置用切換弁を提供することにある。
【課題を解決するための手段】
【００１０】
前記の課題を解決する為に、本発明に係る局部洗浄装置は、洗浄部に備わる洗浄ノズルから洗浄水を人体局部に向けて噴出する局部洗浄装置において、前記洗浄部と給水管の間に塩素除去フィルタが挿入される塩素除去ハウジングと、塩素除去ハウジング装着時に開口する切換弁を設ける。
【発明の効果】
【００１１】
本発明に係る局部洗浄装置および局部洗浄装置付便器並びに局部洗浄装置用フィルタを適用することで、素残留のフィルタを用いた局部洗浄装置であって、フィルタを設置した際にのみ水が通過し、フィルタ交換の際などフィルタを取り外した際に水の通過が停止されることによって局部洗浄装置用フィルタの交換が容易となる。
【図面の簡単な説明】
【００１２】
【図１】本発明の第１の実施形態における局部洗浄装置を設けた便器の正面図である。
【図２】本発明の第１の実施形態における局部洗浄装置の水回路構成図である。
【図３】本発明の第１の実施形態における局部洗浄装置の局部洗浄装置用フィルタの切換弁の構成図である。
【図４】本発明の第２の実施形態における局部洗浄装置を設けた便器の側面図である。
【図５】本発明の第２の実施形態における局部洗浄装置の水回路構成図である。
【発明を実施するための形態】
【００１３】
次に、本発明に係る風管の接続機構の実施の形態について図面を参照して詳細に説明する。
【００１４】
（第１の実施形態）
図１乃至３は、本発明に係る風管の接続機構の第１の実施形態の概略を示す図を示したものである。
【００１５】
図１は、本発明の第１の実施形態における局部洗浄装置２を示すものである。局部洗浄装置２としての温水洗浄便座本体４は、便器６上に設置され、温水洗浄便座本体４、便蓋８、使用者が座る為の便座１０等から構成されており、便器を洗浄する水をためるロータンク１２、洗浄する為の水を開栓するためのレバー１４、手を洗浄する為の水栓１６、壁面のコンセント１８から電源供給を受けるための電源ケーブル２０が備えてある。また、取水口２６に連結される配管２８を介して浄水器３０の切換弁３２と連結される。切換弁３２はフィルタ３４を経て配管３６と連結される。配管３６は局部洗浄装置２に連結されて浄水を局部洗浄装置２に供給する。
【００１６】
図２は、本発明の第１の実施形態における局部洗浄装置２の水回路を示すものである。まず、水源である給水管２２から分岐水栓２４で取水口２６から配管２８を通じて浄水器３０の切換弁３２に連結される。切換弁３２とフィルタ３４は連動しており、フィルタ３４を切換弁３２に連結すると連通して配管２８の水がフィルタ３４内に給水され、フィルタ３４を切換弁３２から外すと、切換弁３２が閉じ、配管２８からの水は切換弁３２から放出されない。フィルタ３４は、配管３６を経由して局部洗浄装置２の取水口３８に連結される。取水口３８は逆止弁４０を介して止水弁４２に連結される。止水弁４２は、水量検知器４４を介して温水ヒータ４６と連結される。温水ヒータ４６の下流側には水駆動ポンプ４８を介して流路切換弁５０が接続されており、流路切換弁５０の先に異物除去器５２とノズル５４が設けられる。このように構成することで、フィルタ３４を連結した時のみ浄水をノズル５４まで流し、フィルタ３４を連結しない場合は、給水は切換弁３２で停止する。
（実施例１）
【００１７】
切換弁３２とフィルタ３４の構成について、図３を用いて詳細に説明する。図３では、切換弁３２とフィルタ３４とが連結した状態を示している。
【００１８】
フィルタ３４（塩素除去ハウジング）は、円筒状でフィルタ素材６０が内蔵されるフィルタ下部６２と、フィルタ下部６２の上に積載されフィルタ下部６２の半径より半径の小さな円筒形のフィルタ段部６４と、さらにフィルタ段部６４の上に積載されるさらに半径の小さなフィルタ頂部６６から構成される。フィルタ頂部６６の天頂面にはフィルタ素材６０に連通するフィルタ入水路６８の開口部７０が開口する。フィルタ頂部６６の側面であるフィルタ頂部側面７２には溝が刻設されてＯリング７４がはめ込まれている。フィルタ頂部側面７２であって、このＯリング７４より下側には、フィルタ素材６０の他方に連通するフィルタ出水路７６の開口部７８が開口する。フィルタ頂部側面７２は、その周囲にフィルタ段部６４が設けられる。フィルタ段部６４の側面であるフィルタ段部側面７２には溝が２段設けられ、それぞれにＯリング８０，８２が設けられる。フィルタ段部側面７２、Ｏリングより下側に係止用突起８４が設けられる。なお、ここでフィルタ素材６０は、遊離残留塩素を水道水から取り除くための素材であって、樹脂、粉、繊維等が用いられ、コストや除去濃度に応じて適宜必要な素材が選択される。
【００１９】
切換弁３２は、水道水をフィルタ３４へ導入するか、停止させるかを切換える切替弁機能部と、フィルタ３４をカバーするキャップ機能部とを合わせ持つ。
【００２０】
切替弁機能部は、給水側の配管２８と連結される入水口９６と、ピストン９８と、バネ１００と、ストッパ１０２と、出水口１０４とから構成される。
【００２１】
一方、キャップ機能部は、フィルタ下部６２に対応するフィルタ下部受部１０６と、フィルタ段部６４に対応するフィルタ段部受部１０８と、フィルタ頂部６６に対応するフィルタ頂部受部１１０と、係止用突起８４に対応して設けられる係止用凹部１１１とから構成される。
【００２２】
以上の構成において、図３に示すように切換弁３２とフィルタ３４とが連結した弁開放状態と、図示していない切換弁３２とフィルタ３４とがかい離した弁閉鎖状態について説明する。
【００２３】
初めに、弁開放状態では、切換弁３２とフィルタ３４とが連結した状態であり、入水口９６の内部にバネ室１１２が設けられて前記バネ１００が設けられ、ピストン９８から押圧されて短縮された状態にある。ピストン９８は、円形のピストンヘッド１１４とピストンヘッド１１４の鉛直下側に突設するピストンロッド１１６とから構成される。バネ室１１２の鉛直下側であって入水口９６の奥部に入水口９６とフィルタ頂部受部１１０を連通させるピストンヘッド開口１１８が開口している。ピストンヘッド開口１１８は、弁開放状態ではピストンヘッド１１４がバネを押圧しながらバネ室１１２の鉛直上側に移動するため、開口状態となる。ピストンロッド１１６は、ピストンヘッド開口１１８の下部にあるストッパ１０２が設けられ、このストッパ１０２に開口されたピストンロッド開口１２０を貫通して、フィルタ頂部６６の天頂面に当接する。つまり、フィルタ頂部６６が鉛直下方向から挿入されることでピストンロッド１１６が押し上げられ、その結果ピストンヘッド１１４が押し上げられてピストンヘッド開口１１８が開口している。
【００２４】
このとき、ピストンヘッド開口１１８が開口しているので、入水口９６からピストンヘッド開口１１８とピストンロッド開口１２０とを経て、開口部７０、フィルタ入水路６８と連通する。さらに、フィルタ出水路７６、開口部７８から出水口１０４まで連通する。この結果、全通路が通水可能となる。この場合、水道水から遊離残留塩素を削減した水をノズル５４から噴射することができるので、遊離残留塩素が肛門部や外陰部に接触することを減らすことができる。
また、この時、係止用突起８４が、係止用凹部１１１に係止されてフィルタ３４と切換弁３２が離間しないように係止される。
【００２５】
一方、弁閉鎖状態について説明する。フィルタ３４が切換弁３２から離間すると、フィルタ頂部６６はフィルタ頂部受部１１０から離間するため、バネ１００に押圧されてピストンヘッド１１４が下方向に移動する。従って、ピストンヘッド開口１１８が閉鎖され、入水口９６とフィルタ入水路６８とが連通しない。このため、通水が停止される。すなわち、フィルタ３４の交換の際には、給水管２２からの給水が切換弁３２で停止されるため、分岐水栓２４を閉栓せずともフィルタ３４交換が可能となる。
（実施例２）
【００２６】
図４，５を用いて実施例２について説明する。
【００２７】
図４は、本発明に係る局部洗浄装置２の実施例２を示し、側面図を示している。実施例１との大きな違いは、浄水器１２８すなわち切換弁１３０とフィルタ１３２とが、局部洗浄装置２に内蔵されている点が図１と大きく異なる。図４では、切換弁１３０とフィルタ１３２のみを外観上に描写している。
【００２８】
図５は、本発明の第２実施例における局部洗浄装置２の水回路を示すものである。図２との違いでは、切換弁１３０とフィルタ１３２が逆止弁１２６と止水弁４２の間に設けている点で異なる。なお、配管１２２は取水口１２４に連結される。取水口１２４が逆止弁１２６と連結される。本実施例２の構成とすることで、局部洗浄装置２との一体性を図ることができ、意匠上でもフィルタ１３２を内蔵することができる。
【符号の説明】
【００２９】
２  局部洗浄装置
４  温水洗浄便座本体
６  便器
８  便蓋
１０  便座
１２  ロータンク
１４  レバー
１６  水栓
１８  コンセント
２０  電源ケーブル
２２  給水管
２４  分岐水栓
２６  取水口
２８  配管
３０  浄水器
３２  切換弁
３４  フィルタ
３６  配管
３８  取水口
４０  逆止弁
４２  止水弁
４４  水量検知器
４６  温水ヒータ
４８  水駆動ポンプ
５０  流路切換弁
５２  異物除去器
５４  ノズル
６０  フィルタ素材
６２  フィルタ下部
６４  フィルタ段部
６６  フィルタ頂部
６８  フィルタ入水路
７０  開口部
７２  フィルタ頂部側面
７４  Ｏリング
７６  フィルタ出水路
７８  開口部
８０，８２  Ｏリング
８４  係止用突起
９６  入水口
９８  ピストン
１００  バネ
１０２  ストッパ
１０４  出水口
１０６  フィルタ下部受部
１０８  フィルタ段部受部
１１０  フィルタ頂部受部
１１１  係止用凹部
１１２  バネ室
１１４  ピストンヘッド
１１６  ピストンロッド
１１８  ピストンヘッド開口
１２０  ピストンロッド開口
１２２  配管
１２４  取水口
１２６  逆止弁
１２８  浄水器
１３０  切換弁
１３２  フィルタ
【図１】
2016020611.tif 000003
【図２】
2016020611.tif 000004
【図３】
2016020611.tif 000005
【図４】
2016020611.tif 000006
【図５】
2016020611.tif 000007
【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
洗浄部に備わる洗浄ノズルから洗浄水を人体局部に向けて噴出する局部洗浄装置において、前記洗浄部と給水管の間に塩素除去フィルタが挿入される塩素除去ハウジングと、塩素除去ハウジング装着時に開口する切換弁を設ける局部洗浄装置であって、
切換弁は、塩素除去ハウジング装着前には給水側入口の内部にバネで付勢されてピストンヘッドで塩素除去ハウジング側出口が塞がれることで給水が停止され、塩素除去ハウジング装着後は塩素除去ハウジングによってピストンヘッドに突設されるピストンロッドが押圧されて塩素除去ハウジング側出口を開放することで給水が塩素除去ハウジング内に供給されるように構成され、
前記切換弁は、水道水を前記塩素除去フィルタへ導入するか、停止させるかを切換える切替弁機能部と、前記塩素除去フィルタをカバーするキャップ機能部とを合わせ持つ局部洗浄装置。
【請求項２】
洗浄部に備わる洗浄ノズルから洗浄水を人体局部に向けて噴出する局部洗浄装置において、前記洗浄部と給水管の間に塩素除去フィルタが挿入される塩素除去ハウジングと、塩素除去ハウジング装着時に開口する切換弁を設ける局部洗浄装置を設けた便器であって、
切換弁は、塩素除去ハウジング装着前には給水側入口の内部にバネで付勢されてピストンヘッドで塩素除去ハウジング側出口が塞がれることで給水が停止され、塩素除去ハウジング装着後は塩素除去ハウジングによってピストンヘッドに突設されるピストンロッドが押圧されて塩素除去ハウジング側出口を開放することで給水が塩素除去ハウジング内に供給されるように構成され、
前記切換弁は、水道水を前記塩素除去フィルタへ導入するか、停止させるかを切換える切替弁機能部と、前記塩素除去フィルタをカバーするキャップ機能部とを合わせ持つ局部洗浄装置を設けた便器。
【請求項３】
洗浄部に備わる洗浄ノズルから洗浄水を人体局部に向けて噴出する局部洗浄装置において、前記洗浄部と給水管の間に塩素除去フィルタが挿入される塩素除去ハウジングと、塩素除去ハウジング装着時に開口する切換弁を設ける局部洗浄装置用切換弁であって、
切換弁は、塩素除去ハウジング装着前には給水側入口の内部にバネで付勢されてピストンヘッドで塩素除去ハウジング側出口が塞がれることで給水が停止され、塩素除去ハウジング装着後は塩素除去ハウジングによってピストンヘッドに突設されるピストンロッドが押圧されて塩素除去ハウジング側出口を開放することで給水が塩素除去ハウジング内に供給されるように構成され、
前記切換弁は、水道水を前記塩素除去フィルタへ導入するか、停止させるかを切換える切替弁機能部と、前記塩素除去フィルタをカバーするキャップ機能部とを合わせ持つ局部洗浄装置用切換弁。
【請求項４】
洗浄部に備わる洗浄ノズルから洗浄水を人体局部に向けて噴出する局部洗浄装置において、前記洗浄部と給水管の間に塩素除去フィルタが挿入される塩素除去ハウジングと、塩素除去ハウジング装着時に開口する切換弁を設ける局部洗浄装置用浄水部であって、
切換弁は、塩素除去ハウジング装着前には給水側入口の内部にバネで付勢されてピストンヘッドで塩素除去ハウジング側出口が塞がれることで給水が停止され、塩素除去ハウジング装着後は塩素除去ハウジングによってピストンヘッドに突設されるピストンロッドが押圧されて塩素除去ハウジング側出口を開放することで給水が塩素除去ハウジング内に供給されるように構成され、
前記切換弁は、水道水を前記塩素除去フィルタへ導入するか、停止させるかを切換える切替弁機能部と、前記塩素除去フィルタをカバーするキャップ機能部とを合わせ持つ局部洗浄装置用浄水部。
【手続補正２】
【補正対象書類名】明細書
【補正対象項目名】全文
【補正方法】変更
【補正の内容】
【発明の詳細な説明】
【技術分野】
【０００１】
本発明は、残留塩素を除去する局部洗浄装置および局部洗浄装置付便器並びに局部洗浄装置用切換弁であって、特に局部洗浄装置用フィルタの交換が容易な局部洗浄装置および局部洗浄装置付便器並びに局部洗浄装置用切換弁に関する。
【背景技術】
【０００２】
水道法２２条ならびに水道法施行規則第１７条第1項第3号によれば、「給水栓における水が、遊離残留塩素を０．１ｍｇ／ｌ（結合残留塩素の場合は、０．４ｍｇ／ｌ）以上保持するように塩素消毒をすること。」と規定されており、この結果、日本の水道水には、遊離残留塩素が存在する。このために、殺菌された水道水が供給されることとなり、清潔度が維持されている。
【０００３】
一方、遊離残留塩素がたんぱく質に影響を与えることも知られている。すなわち、塩素は酸化力を有するため蛋白質を変性させてしまう。このため残留塩素濃度の高い水道水で髪や肌を洗浄すると髪や肌の蛋白質を変性させるために傷むこととなる。つまり、肌より弱い粘膜の露出している肛門部や外陰部に対しても、遊離残留塩素が肛門部や外陰部に接触すると、少なからぬ影響を与えている。
【０００４】
例えば特許文献１は、「ノズルの噴出口より洗浄水を人体局部に向けて噴出する局部洗浄装置を備えた便器であり、このノズルの噴出口までの洗浄水の供給通路上に洗浄水を浄化する浄水装置を設ける」ことで、ノズルから噴出された洗浄水が肛門内に入ったとしても、その洗浄水は浄水装置によって浄化されたものであるため、水道水中の濁りや汚れの成分が体内に入ったり、塩素分が腸内に入って有用な菌を殺してしまうといった不都合を生じないという効果があることが記載されている。
【０００５】
また、特許文献２は、「出水要求に基づいて所定量の水を吐出し、肛門部や外陰部、その他の皮膚表面を洗浄するための局部洗浄装置において、洗浄ノズルと、洗浄水を送水するための配水管と、当該洗浄水を通水しながら加熱するためのヒーターと、痔疾用薬剤、保湿剤、潤滑剤、脱臭剤、芳香剤から選ばれる一種または二種以上を組み合わせた薬剤と当該薬剤の飽和水溶液あるいは薬剤の均一分散溶液とが充填された硬質材容器と、硬質材容器に形成された開口と、当該開口を覆う多孔質膜とを有する薬剤徐放カートリッジとが備えられており、当該薬剤徐放カートリッジは前記開口を前記配水管の流路に連通させ、かつ前記開口を前記流路の上流側へ差し向けた状態で前記配水管に装着され、取り替え可能であり」、さらに、「前記薬剤に加えて、残留塩素除去剤、制菌剤のうち一種または二種の薬剤が組み合わせられて添加されている」ことにより、「安価で実用性に優れ、肌に有用な機能的な水さらには清浄な水で局部を洗浄することができる局部洗浄装置を提供することができた」ことが記載されている。
【先行技術文献】
【特許文献】
【０００６】
【特許文献１】実開平５−３０２７５号公報
【特許文献２】特開２００１−２６９６７号公報
【発明の概要】
【発明が解決しようとする課題】
【０００７】
ところで、特許文献１では、「ノズルの噴出口までの洗浄水の供給通路上に洗浄水を浄化する浄水装置を設ける」が、浄水装置の交換についての明確な手法や構造では明らかではなかった。浄水装置は、水をフィルタでろ過することにより浄水化する。このため、目詰まりを起こしたり、フィルタが汚れるために定期的に交換する必要がある。ところで、浄化装置は、常時その内部を水が通過している。このため、フィルタを交換する場合には、その際に、浄化装置を通過する水を停止させる必要があり、フィルタ交換後に浄化装置を通過する水を再開させることが必要であった。この際、給水栓を停止して、交換することとなるが、浄化装置の前後の配管内部の水抜きを行わないと浄化装置の前後の配管からの水漏れが発生するという課題が生じていた。また、浄化装置の交換の度に、給水栓の停止と、配管内部の水抜きと、浄化装置全体の交換を行うことは、洗浄装置のユーザにとって容易なことではない。
【０００８】
また、特許文献２では、「薬剤徐放カートリッジは配水管の外側に装着され、薬剤徐放カートリッジの開口近傍部は配水管内に差し込まれ、取り替え可能となっているが、このことにより、利用者は薬剤徐放カートリッジの交換が甚だ容易になるため、薬剤徐放カートリッジ内の薬剤が減少し、消失した際においても簡単に当該カートリッジを交 換できるため、簡便にかつとぎれることがなく薬剤が徐放された機能水を利用でき、甚だ幸便である。」と記載されるものの、薬剤徐放カートリッジの具体的な構成は開示されていない。また、「薬剤徐放カートリッジ７は外圧を加えても変形しない硬質材例えばアクリルまたはＡＢＳ（アクリルニトリルブタジエンスチレン）樹脂といった比較的安価な材料で形成されているが、図１の如く、局部洗浄装置本体部４からその一部が突出した形状で備えられており、利用者は自由に着脱自在となっている。」と記載されているが、具体的な構成については開示されていない。
【０００９】
そこで、本発明の目的は、塩素残留のフィルタを用いた局部洗浄装置であって、フィルタを設置した際にのみ水が通過し、フィルタ交換の際などフィルタを取り外した際に水の通過が停止されることによって局部洗浄装置用フィルタの交換が容易な局部洗浄装置および局部洗浄装置付便器並びに局部洗浄装置用切換弁を提供することにある。
【課題を解決するための手段】
【００１０】
前記の課題を解決する為に、本発明に係る局部洗浄装置は、洗浄部に備わる洗浄ノズルから洗浄水を人体局部に向けて噴出する局部洗浄装置において、前記洗浄部と給水管の間に塩素除去フィルタが挿入される塩素除去ハウジングと、塩素除去ハウジング装着時に開口する切換弁を設ける。
【発明の効果】
【００１１】
本発明に係る局部洗浄装置および局部洗浄装置付便器並びに局部洗浄装置用フィルタを適用することで、素残留のフィルタを用いた局部洗浄装置であって、フィルタを設置した際にのみ水が通過し、フィルタ交換の際などフィルタを取り外した際に水の通過が停止されることによって局部洗浄装置用フィルタの交換が容易となる。
【図面の簡単な説明】
【００１２】
【図１】本発明の第１の実施形態における局部洗浄装置を設けた便器の正面図である。
【図２】本発明の第１の実施形態における局部洗浄装置の水回路構成図である。
【図３】本発明の第１の実施形態における局部洗浄装置の局部洗浄装置用フィルタの切換弁の構成図である。
【図４】本発明の第２の実施形態における局部洗浄装置を設けた便器の側面図である。
【図５】本発明の第２の実施形態における局部洗浄装置の水回路構成図である。
【発明を実施するための形態】
【００１３】
次に、本発明に係る風管の接続機構の実施の形態について図面を参照して詳細に説明する。
【００１４】
（第１の実施形態）
図１乃至３は、本発明に係る風管の接続機構の第１の実施形態の概略を示す図を示したものである。
【００１５】
図１は、本発明の第１の実施形態における局部洗浄装置２を示すものである。局部洗浄装置２としての温水洗浄便座本体４は、便器６上に設置され、温水洗浄便座本体４、便蓋８、使用者が座る為の便座１０等から構成されており、便器を洗浄する水をためるロータンク１２、洗浄する為の水を開栓するためのレバー１４、手を洗浄する為の水栓１６、壁面のコンセント１８から電源供給を受けるための電源ケーブル２０が備えてある。また、取水口２６に連結される配管２８を介して浄水部３０の切換弁３２と連結される。切換弁３２はフィルタ３４を経て配管３６と連結される。配管３６は局部洗浄装置２に連結されて浄水を局部洗浄装置２に供給する。
【００１６】
図２は、本発明の第１の実施形態における局部洗浄装置２の水回路を示すものである。まず、水源である給水管２２から分岐水栓２４で取水口２６から配管２８を通じて浄水部３０の切換弁３２に連結される。切換弁３２とフィルタ３４は連動しており、フィルタ３４を切換弁３２に連結すると連通して配管２８の水がフィルタ３４内に給水され、フィルタ３４を切換弁３２から外すと、切換弁３２が閉じ、配管２８からの水は切換弁３２から放出されない。フィルタ３４は、配管３６を経由して局部洗浄装置２の取水口３８に連結される。取水口３８は逆止弁４０を介して止水弁４２に連結される。止水弁４２は、水量検知器４４を介して温水ヒータ４６と連結される。温水ヒータ４６の下流側には水駆動ポンプ４８を介して流路切換弁５０が接続されており、流路切換弁５０の先に異物除去器５２とノズル５４が設けられる。このように構成することで、フィルタ３４を連結した時のみ浄水をノズル５４まで流し、フィルタ３４を連結しない場合は、給水は切換弁３２で停止する。
（実施例１）
【００１７】
切換弁３２とフィルタ３４の構成について、図３を用いて詳細に説明する。図３では、切換弁３２とフィルタ３４とが連結した状態を示している。
【００１８】
フィルタ３４（塩素除去ハウジング）は、円筒状でフィルタ素材６０が内蔵されるフィルタ下部６２と、フィルタ下部６２の上に積載されフィルタ下部６２の半径より半径の小さな円筒形のフィルタ段部６４と、さらにフィルタ段部６４の上に積載されるさらに半径の小さなフィルタ頂部６６から構成される。フィルタ頂部６６の天頂面にはフィルタ素材６０に連通するフィルタ入水路６８の開口部７０が開口する。フィルタ頂部６６の側面であるフィルタ頂部側面７２には溝が刻設されてＯリング７４がはめ込まれている。フィルタ頂部側面７２であって、このＯリング７４より下側には、フィルタ素材６０の他方に連通するフィルタ出水路７６の開口部７８が開口する。フィルタ頂部側面７２は、その周囲にフィルタ段部６４が設けられる。フィルタ段部６４の側面であるフィルタ段部側面７２には溝が２段設けられ、それぞれにＯリング８０，８２が設けられる。フィルタ段部側面７２、Ｏリングより下側に係止用突起８４が設けられる。なお、ここでフィルタ素材６０は、遊離残留塩素を水道水から取り除くための素材であって、樹脂、粉、繊維等が用いられ、コストや除去濃度に応じて適宜必要な素材が選択される。
【００１９】
切換弁３２は、水道水をフィルタ３４へ導入するか、停止させるかを切換える切替弁機能部と、フィルタ３４をカバーするキャップ機能部とを合わせ持つ。
【００２０】
切替弁機能部は、給水側の配管２８と連結される入水口９６と、ピストン９８と、バネ１００と、ストッパ１０２と、出水口１０４とから構成される。
【００２１】
一方、キャップ機能部は、フィルタ下部６２に対応するフィルタ下部受部１０６と、フィルタ段部６４に対応するフィルタ段部受部１０８と、フィルタ頂部６６に対応するフィルタ頂部受部１１０と、係止用突起８４に対応して設けられる係止用凹部１１１とから構成される。
【００２２】
以上の構成において、図３に示すように切換弁３２とフィルタ３４とが連結した弁開放状態と、図示していない切換弁３２とフィルタ３４とがかい離した弁閉鎖状態について説明する。
【００２３】
初めに、弁開放状態では、切換弁３２とフィルタ３４とが連結した状態であり、入水口９６の内部にバネ室１１２が設けられて前記バネ１００が設けられ、ピストン９８から押圧されて短縮された状態にある。ピストン９８は、円形のピストンヘッド１１４とピストンヘッド１１４の鉛直下側に突設するピストンロッド１１６とから構成される。バネ室１１２の鉛直下側であって入水口９６の奥部に入水口９６とフィルタ頂部受部１１０を連通させるピストンヘッド開口１１８が開口している。ピストンヘッド開口１１８は、弁開放状態ではピストンヘッド１１４がバネを押圧しながらバネ室１１２の鉛直上側に移動するため、開口状態となる。ピストンロッド１１６は、ピストンヘッド開口１１８の下部にあるストッパ１０２が設けられ、このストッパ１０２に開口されたピストンロッド開口１２０を貫通して、フィルタ頂部６６の天頂面に当接する。つまり、フィルタ頂部６６が鉛直下方向から挿入されることでピストンロッド１１６が押し上げられ、その結果ピストンヘッド１１４が押し上げられてピストンヘッド開口１１８が開口している。
【００２４】
このとき、ピストンヘッド開口１１８が開口しているので、入水口９６からピストンヘッド開口１１８とピストンロッド開口１２０とを経て、開口部７０、フィルタ入水路６８と連通する。さらに、フィルタ出水路７６、開口部７８から出水口１０４まで連通する。この結果、全通路が通水可能となる。この場合、水道水から遊離残留塩素を削減した水をノズル５４から噴射することができるので、遊離残留塩素が肛門部や外陰部に接触することを減らすことができる。
また、この時、係止用突起８４が、係止用凹部１１１に係止されてフィルタ３４と切換弁３２が離間しないように係止される。
【００２５】
一方、弁閉鎖状態について説明する。フィルタ３４が切換弁３２から離間すると、フィルタ頂部６６はフィルタ頂部受部１１０から離間するため、バネ１００に押圧されてピストンヘッド１１４が下方向に移動する。従って、ピストンヘッド開口１１８が閉鎖され、入水口９６とフィルタ入水路６８とが連通しない。このため、通水が停止される。すなわち、フィルタ３４の交換の際には、給水管２２からの給水が切換弁３２で停止されるため、分岐水栓２４を閉栓せずともフィルタ３４交換が可能となる。
（実施例２）
【００２６】
図４，５を用いて実施例２について説明する。
【００２７】
図４は、本発明に係る局部洗浄装置２の実施例２を示し、側面図を示している。実施例１との大きな違いは、浄水部１２８すなわち切換弁１３０とフィルタ１３２とが、局部洗浄装置２に内蔵されている点が図１と大きく異なる。図４では、切換弁１３０とフィルタ１３２のみを外観上に描写している。
【００２８】
図５は、本発明の第２実施例における局部洗浄装置２の水回路を示すものである。図２との違いでは、切換弁１３０とフィルタ１３２が逆止弁１２６と止水弁４２の間に設けている点で異なる。なお、配管１２２は取水口１２４に連結される。取水口１２４が逆止弁１２６と連結される。本実施例２の構成とすることで、局部洗浄装置２との一体性を図ることができ、意匠上でもフィルタ１３２を内蔵することができる。
【符号の説明】
【００２９】
２  局部洗浄装置
４  温水洗浄便座本体
６  便器
８  便蓋
１０  便座
１２  ロータンク
１４  レバー
１６  水栓
１８  コンセント
２０  電源ケーブル
２２  給水管
２４  分岐水栓
２６  取水口
２８  配管
３０  浄水部
３２  切換弁
３４  フィルタ
３６  配管
３８  取水口
４０  逆止弁
４２  止水弁
４４  水量検知器
４６  温水ヒータ
４８  水駆動ポンプ
５０  流路切換弁
５２  異物除去器
５４  ノズル
６０  フィルタ素材
６２  フィルタ下部
６４  フィルタ段部
６６  フィルタ頂部
６８  フィルタ入水路
７０  開口部
７２  フィルタ頂部側面
７４  Ｏリング
７６  フィルタ出水路
７８  開口部
８０，８２  Ｏリング
８４  係止用突起
９６  入水口
９８  ピストン
１００  バネ
１０２  ストッパ
１０４  出水口
１０６  フィルタ下部受部
１０８  フィルタ段部受部
１１０  フィルタ頂部受部
１１１  係止用凹部
１１２  バネ室
１１４  ピストンヘッド
１１６  ピストンロッド
１１８  ピストンヘッド開口
１２０  ピストンロッド開口
１２２  配管
１２４  取水口
１２６  逆止弁
１２８  浄水部
１３０  切換弁
１３２  フィルタ